(57)【要約】【課題】  利用頻度によってコンテンツを直観的に表示できるディスプレイ装置及びその映像表示方法を提供する。【解決手段】  本発明のディスプレイ装置は、少なくとも一つのコンテンツを出力するコンテンツ出力部と、ディスプレイ部と、前記コンテンツの目録イメージを処理して前記ディスプレイ部に出力する映像処理部と、前記コンテンツの利用頻度によって前記目録イメージの表示効果が変更されように前記映像処理部を制御する制御部とを含む。【選択図】      図２
2011070651.tif 000002
【特許請求の範囲】
【請求項１】
少なくとも一つのコンテンツを出力するコンテンツ出力部と、
ディスプレイ部と、
前記少なくとも一つのコンテンツの少なくとも一つの目録イメージを処理して前記ディスプレイ部に出力する映像処理部と、
前記コンテンツの利用頻度によって前記少なくとも一つの目録イメージの表示効果が変更されるように前記映像処理部を制御する制御部と、
を含むことを特徴とするディスプレイ装置。
【請求項２】
前記映像処理部は、前記コンテンツの利用頻度によって前記少なくとも一つの目録イメージのノイズ度合を変更することを特徴とする請求項１に記載のディスプレイ装置。
【請求項３】
前記映像処理部は、前記少なくとも一つのコンテンツの利用頻度によって前記少なくとも一つの目録イメージの明暗を変更することを特徴とする請求項１に記載のディスプレイ装置。
【請求項４】
前記映像処理部は、前記少なくとも一つのコンテンツの利用頻度によって前記少なくとも一つの目録イメージの透明度を変更することを特徴とする請求項１に記載のディスプレイ装置。
【請求項５】
前記映像処理部は、所定時間選択されなかった少なくとも一つのコンテンツの前記少なくとも一つの目録イメージをモザイク処理することを特徴とする請求項１に記載のディスプレイ装置。
【請求項６】
前記映像処理部は、最も最近に選択されたコンテンツの前記少なくとも一つの目録イメージの第１表示勾配を、他の目録イメージの第２表示勾配と異なるように変更することを特徴とする請求項１に記載のディスプレイ装置。
【請求項７】
前記少なくとも一つの目録イメージは、前記コンテンツのサムネール、前記コンテンツの主要場面、前記コンテンツの名称イメージ、前記コンテンツを含むフォルダーの目録イメージのうち少なくとも一つを含むことを特徴とする請求項１に記載のディスプレイ装置。
【請求項８】
ディスプレイ部を含むディスプレイ装置の映像表示方法であって、
少なくとも一つのコンテンツの少なくとも一つの目録イメージを表示するための選択信号を受信する段階と、
前記少なくとも一つのコンテンツの利用頻度によって前記少なくとも一つの目録イメージの表示効果が変更されるように、前記少なくとも一つのコンテンツの少なくとも一つの目録イメージを処理する段階と、
を含むことを特徴とするディスプレイ装置の映像表示方法。
【請求項９】
前記少なくとも一つのコンテンツの少なくとも一つの目録イメージを処理する段階は、前記少なくとも一つのコンテンツの利用頻度によって前記少なくとも一つの目録イメージのノイズ度合、前記目録イメージの明暗、前記目録イメージの透明度のうち少なくとも一つを変更することを特徴とする請求項８に記載のディスプレイ装置の映像表示方法。
【請求項１０】
前記少なくとも一つのコンテンツの少なくとも一つの目録イメージを処理する段階は、所定時間選択されなかった少なくとも一つのコンテンツの前記少なくとも一つの目録イメージをモザイク処理することを特徴とする請求項８に記載のディスプレイ装置の映像表示方法。
【請求項１１】
前記少なくとも一つのコンテンツの少なくとも一つの目録イメージを処理する段階は、最も最近に選択されたコンテンツの前記少なくとも一つの目録イメージの第１表示勾配を、他の目録イメージの第２表示勾配と異なるように変更することを特徴とする請求項８に記載のディスプレイ装置の映像表示方法。
【請求項１２】
前記少なくとも一つの目録イメージは、前記コンテンツのサムネール、前記コンテンツの主要場面、前記コンテンツの名称イメージ、前記コンテンツを含むフォルダーの目録イメージのうち少なくとも一つを含むことを特徴とする請求項８に記載のディスプレイ装置の映像表示方法。
【発明の詳細な説明】
【技術分野】
【０００１】
本発明は、ディスプレイ装置及びその映像表示方法に係り、特に、コンテンツをブラウジングできるディスプレイ装置及びその映像表示方法に関するものである。
【背景技術】
【０００２】
ディスプレイ装置は、コンテンツブラウジングのためにコンテンツを目録化して提供する。コンテンツが目録化される場合、主にサムネールイメージまたは簡単なテキストで表示され、ユーザは、複数のコンテンツ目録から所望のコンテンツを選択して該コンテンツを再生したり実行したりする。
【０００３】
通常、ユーザがコンテンツを所定の特徴によって分類する際には、特定フォルダーを生成してコンテンツをそれぞれグルーピングしたり、現在表示される目録において星のようなイメージなどを追加したりしてきた。
【発明の概要】
【発明が解決しようとする課題】
【０００４】
本発明の一実施例は、利用頻度によってコンテンツを直観的に表示できるディスプレイ装置及びその映像表示方法を提供する。
【０００５】
本発明の一実施例は、最近に利用したコンテンツを直観的に表示できるディスプレイ装置及びその映像表示方法を提供する。
【課題を解決するための手段】
【０００６】
本発明の一実施例に係るディスプレイ装置は、少なくとも一つのコンテンツを出力するコンテンツ出力部と、ディスプレイ部と、前記コンテンツの目録イメージを処理して前記ディスプレイ部に出力する映像処理部と、前記コンテンツの利用頻度によって前記目録イメージの表示効果が変更されるように前記映像処理部を制御する制御部と、を含むことができる。
【０００７】
前記映像処理部は、前記コンテンツの利用頻度によって前記目録イメージのノイズ度合を変更することができる。前記映像処理部は、前記コンテンツの利用頻度によって前記目録イメージの明暗を変更することができる。前記映像処理部は、前記コンテンツの利用頻度によって前記目録イメージの透明度を変更することができる。前記映像処理部は、所定時間選択されなかったコンテンツの前記目録イメージをモザイク処理することができる。前記映像処理部は、最も最近に選択されたコンテンツの前記目録イメージの表示勾配を、他の目録イメージの表示勾配と異なるように変更することができる。
【０００８】
前記目録イメージは、前記コンテンツのサムネール、前記コンテンツの主要場面、前記コンテンツの名称イメージ、前記コンテンツを含むフォルダーの目録イメージのうち少なくとも一つを含むことができる。
【０００９】
本発明の他の実施例に係る、ディスプレイ部を含むディスプレイ装置の映像表示方法は、少なくとも一つのコンテンツの目録イメージを表示するための選択信号を受信する段階と、前記コンテンツの利用頻度によって前記目録イメージの表示効果が変更されるように前記コンテンツの目録イメージを処理する段階と、を含むことができる。
【発明の効果】
【００１０】
上記のように、本発明の一実施例によれば、利用頻度によってコンテンツを直観的に表示できるディスプレイ装置及びその映像表示方法を提供することができる。
【００１１】
また、本発明の一実施例によれば、最近に利用したコンテンツを直観的に表示できるディスプレイ装置及びその映像表示方法を提供することができる。
【００１２】
また、本発明の一実施例によれば、コンテンツを利用頻度によって整列できるディスプレイ装置及びその映像表示方法を提供することができる。
【００１３】
また、本発明の一実施例によれば、コンテンツを容易に検索して管理できるディスプレイ装置及びその映像表示方法を提供することができる。
【発明を実施するための形態】
【００１４】
以下、添付の図面を参照しつつ、本発明の実施例について、本発明の属する技術分野における通常の知識を有する者が容易に実施できるように詳細に説明する。本発明は、ここに説明する実施例に限定されるものではなく、様々な形態に具現することができる。本発明を明瞭に説明するために、周知の構成については適宜省略し、明細書全体を通じて同一または類似の構成要素には同一の参照符号を付ける。
【００１５】
図１は、本発明の一実施例によるディスプレイ装置の制御ブロック図である。同図で、ディスプレイ装置は、コンテンツ出力部１０、映像処理部２０、ディスプレイ部３０、及び、これらを制御する制御部４０を含む。本発明によるディスプレイ装置は、コンテンツを識別したり検索したりすることができるように、コンテンツに対する目録をイメージとして表示できる装置とし、その例には、ディスプレイ部を含むコンピュータシステム、テレビ、各種携帯用端末機、電子額縁、コンテンツを保存しているカメラ、カムコーダなどがある。
【００１６】
コンテンツ出力部１０は、各種マルチメディアコンテンツを出力できるインターフェースに該当する。コンテンツ出力部１０は、写真、動映像、音楽ファイルまたは各種文書などを提供できるコンテンツ記憶部、またはカメラ、ｍｐ３、ＣＤ（compact  disk）などのコンテンツソースなどが連結される接続部、ネットワークに接続されるインターフェースなどを含むことができる。コンテンツ出力部１０は、例えば、ブルートゥース、赤外線通信及び有線／無線ＵＳＢ通信インターフェースなどとしても良く、または、写真、動映像、音楽ファイル、各種文書などのコンテンツを記憶している内蔵・外付け記憶媒体としても良い。
【００１７】
映像処理部２０は、制御部４０の制御によって、コンテンツ出力部１０から出力されうるコンテンツの目録イメージを処理してディスプレイ部３０に表示する。コンテンツ出力部１０を通じてコンテンツが出力されうる状態、コンテンツ利用が可能な状態になると、映像処理部２０は、ユーザに利用可能なコンテンツに対する目録をイメージとして提供する。または、ユーザによりコンテンツブラウジング、すなわち、検索が要請されると、映像処理部２０は、コンテンツに対する目録イメージをディスプレイ部３０に表示する。例えば、コンテンツが静止画像であればこれに対するサムネール、音楽ファイルならアルバムのサムネール、動映像ならコンテンツの主要場面などを目録イメージとして表示することができる。または、文書または各種実行ファイルの場合には、コンテンツ名称に関するイメージ、すなわち、アイコンを目録イメージとして表示することができる。または、コンテンツを表示せずに、コンテンツが含まれているフォルダーも目録イメージとして表示することができる。
【００１８】
ディスプレイ部３０は、映像処理部３０で処理された目録イメージを表示する。ディスプレイ部３０は、液晶を含むＬＣＤパネル、有機発光素子を含むＯＬＥＤ（organic  light  emitting  diode）パネル、またはＰＤＰ（plasma  display  panel）を含むことができ、当該パネルを駆動するパネル駆動部を含む。
【００１９】
制御部４０は、コンテンツ出力部１０にコンテンツソースが連結されたり、ユーザがコンテンツを検索したりする場合、表示または実行されうるコンテンツに対する項目がディスプレイ部３０に表示されるように映像処理部２０を制御する、また、制御部４０は、このようなコンテンツの目録イメージが、コンテンツの利用頻度によってその表示効果が変更されるように映像処理部２０を制御する。制御部４０は、コンテンツが選択される度に各コンテンツの選択頻度数をカウントしてそれを保存する。映像処理部２０は、コンテンツの選択頻度数によって目録イメージの表示効果を変更する。映像処理部２０が特定変数によって表示効果を変更させるアルゴリズムは、公知の様々な方法を適用すればいい。
【００２０】
図２〜図６は、本発明による様々な目録イメージを示す図である。図２は、コンテンツの利用頻度によってノイズ度合が変更された目録イメージを示す図である。ユーザがコンテンツを利用する頻度、すなわち、コンテンツを表示したり実行したりした頻度が高いと、目録イメージに混入するノイズは非常に少ないため、鮮明で明確なイメージとして表示される。一方、利用頻度が低い場合は、ノイズが多く混入するので、あたかも古い写真を見たかのように、目録イメージはぼやけており且つ粗表示されることになる。したがって、ユーザは、このコンテンツ目録イメージから、自身がコンテンツを利用する選好度が直観的にわかり、さらにはコンテンツの存在についてリマインドすることもできる。なお、これを用いてコンテンツを容易に管理することができる。すなわち、利用頻度の極低いコンテンツは削除することもでき、利用頻度の高いコンテンツは別のファイルとして管理することもできる。
【００２１】
図３は、利用頻度によって明暗が変わるコンテンツの目録イメージを示す図である。目録イメージに表示された斜線の間隔でイメージの明暗を表すもので、斜線の間隔が狭いほど暗いイメージを、斜線の間隔が大きいほど明るいイメージを表す。制御部４０は、利用頻度が高くなるにつれて目録イメージの明度を高くしたり、逆に低くしたりすることができる。すなわち、ユーザがコンテンツの明暗を通じて複数のコンテンツから利用頻度の高いものを容易に識別できるようなイメージ表示効果であればいずれも適用可能である。
【００２２】
他の実施例によれば、利用頻度によって目録イメージの透明度を変えたり、物の境界の鮮明度を変えたりすることができる。また、利用頻度によって目録イメージの表示色調を変更することもできる。例えば、利用頻度が低いと、黒色や褐色のトーンに目録イメージを変更し、まるで古い写真のような効果を出すことができる。これに限定されず、コンテンツ利用頻度を一目で識別可能にし且つ利用頻度の高いコンテンツを強調できる形態であれば、いずれのイメージ表示方法も適用可能である。
【００２３】
図４は、所定時間選択されなかったコンテンツの目録イメージをモザイク処理する例を示す図である。本実施例において、映像処理部２０は、利用頻度によって変更される目録イメージの表示効果に加えて、特に利用頻度の低いコンテンツをモザイク処理する。図４で、目録イメージＡが、１０日、１ケ月または１年などのように特定期間ユーザに選択されなかったコンテンツの目録イメージであるとすれば、目録イメージＡをモザイク処理することができる。モザイク処理に限定されず、目録イメージが不活性化、すなわち、選択不可能な状態を表すように目録イメージを処理することもできる。
【００２４】
逆に、利用頻度の低いコンテンツではなく、利用頻度の高いコンテンツの目録イメージを、他の目録イメージと区別されるように処理することもできる。例えば、目録イメージが左右に動くアニメーションを追加することもでき、目録イメージをズームイン及びズームアウトを繰り返すように処理することもできる。ユーザは、コンテンツ検索を通じてコンテンツの利用頻度をより容易に認知することができる。
【００２５】
図５は、最も最近に利用したコンテンツの目録イメージを、他の目録イメージと異ならせて表示する例を示す図である。映像処理部２０は、ユーザにより最も最近に再生されたり閲覧されたコンテンツの目録イメージＢの表示勾配を、他の目録イメージの表示勾配と異ならせる。同図では、あたかもユーザがアルバムから写真をはがそうとして止めたかのように目録イメージの表示勾配が下方に傾いている。この表示勾配は、上方に傾くようにしても良い。これに限定されず、最も最近に利用したコンテンツの目録イメージは、その周縁部を太く表示したり、太く表示された周縁部をハイライトしたりして表示することもできる。
【００２６】
図６は、図１のディスプレイ装置の他の目録イメージの例を示す図である。本実施例では、直接的なコンテンツ関連目録イメージではなく、コンテンツを含んでいるフォルダーの目録イメージが示される。ユーザは、コンテンツの目録イメージではなく、コンテンツが保存されているフォルダーの目録イメージをブラウジングすることができる、この場合、映像処理部２０は、利用頻度によってフォルダーイメージの表示効果を変更することができる。フォルダーの目録イメージは、利用頻度によって透明度、明暗、ノイズ度合を変更することができ、フォルダーがいずれも同一の模様を有する場合、フォルダーの色や大きさを変更することもできる。
【００２７】
他の実施例によれば、ディスプレイ部３０に表示されるアイコンも同様、利用頻度によって表示効果を変更することができる。ユーザは、イメージとして提供されるインターフェースを通じて直観的にコンテンツ、フォルダー、アイコンの利用頻度を確認することができる。このような直観性によってコンテンツを削除したりリマインダーすることで、コンテンツをより效果的に管理することができる。
【００２８】
他の実施例によれば、映像処理部２０は、目録イメージの表示形態を変更すると同時に、目録イメージを利用頻度によって整列することができる。すなわち、利用頻度によって目録イメージの配列位置を変更することによって、ユーザがより明確にコンテンツを識別できるようにする。または、目録イメージの大きさを調節することによって利用頻度を目録イメージに反映することもできる。
【００２９】
図７は、図１のディスプレイ装置における映像表示方法を示すフローチャートである。
【００３０】
まず、制御部４０は、少なくとも一つのコンテンツの目録イメージを表示するための選択信号を受信する（Ｓ１０）。選択信号は、ユーザがコンテンツを検索するための信号、またはコンテンツソースがコンテンツ出力部１０に連結される時に発生する信号を含むことができる。
【００３１】
制御部４０は、映像処理部２０を制御してコンテンツの利用頻度によって目録イメージの表示効果を変更させる（Ｓ２０）。目録イメージのノイズ度合、明暗、透明度、色調のうち少なくとも一つを変更したり、利用頻度によってモザイク処理したりすることができる。
【００３２】
変更された目録イメージは、ディスプレイ部３０に表示され（Ｓ３０）、ユーザは、検索した目録イメージを選択してコンテンツを表示したり実行したりする。
【００３３】
以上では本発明の具体的な実施例を図示及び説明してきたが、本発明の属する技術分野における通常の知識を有する当業者には、本発明の原則や精神を逸脱しない限度内で様々な本発明の変形実施が可能であることは明らかである。したがって、本発明の範囲は、添付の特許請求の範囲とその均等範囲により定められるべきである。
【図面の簡単な説明】
【００３４】
【図１】本発明の一実施例によるディスプレイ装置を示す制御ブロック図である。
【図２】図１のディスプレイ装置による目録イメージを示す図である。
【図３】図１のディスプレイ装置による他の目録イメージを示す図である。
【図４】図１のディスプレイ装置のさらに他の目録イメージを示す図である。
【図５】図１のディスプレイ装置のさらに他の目録イメージを示す図である。
【図６】図１のディスプレイ装置のさらに他の目録イメージを示す図である。
【図７】図１のディスプレイ装置における映像表示方法を示すフローチャートである。
【符号の説明】
【００３５】
１０    コンテンツ出力部
２０    映像処理部
３０    ディスプレイ部
４０    制御部
【図１】
2011070651.tif 000003
【図２】
2011070651.tif 000004
【図３】
2011070651.tif 000005
【図４】
2011070651.tif 000006
【図５】
2011070651.tif 000007
【図６】
2011070651.tif 000008
【図７】
2011070651.tif 000009